(57)【要約】      （修正有）【課題】複数の混合液体試薬に対し複数の特性を短時間で検出することのできる蛍光検出装置を提供する。【解決手段】蛍光標識した混合液体試薬を第１照明領域９０８ａにおいて照明する第１照明部と、前記混合液体試薬を前記第１照明部の照明光とは波長が違う照明光により前記第１照明領域とは異なる第２照明領域９０８ｂにおいて照明する第２照明部と、前記第１照明領域９０８aおよび前記第２照明領域９０８ｂにおいて前記混合液体試薬から発せられる蛍光を検出する検出部と、前記混合液体試薬を格納できる複数の測定チャンバ２０１が一定間隔を空けて連続して配置された測定チャンバ帯が形成されている処理チップと、を備えた蛍光検出装置であって、前記第１照明部および前記第２照明部の一方が前記測定チャンバの１つを照明しているときは、他方は前記測定チャンバ２０１のない前記測定チャンバ帯を照明している。【選択図】図６
2013185965.tif 000002
【特許請求の範囲】
【請求項１】
蛍光標識した混合液体試薬を第１照明領域において照明する第１照明部と、
前記混合液体試薬を前記第１照明部の照明光とは波長が違う照明光により前記第１照明領域とは異なる第２照明領域において照明する第２照明部と、
前記第１照明領域および前記第２照明領域において前記混合液体試薬から発せられる蛍光を検出する検出部と、
前記混合液体試薬を格納できる複数の測定チャンバが一定間隔を空けて連続して配置された測定チャンバ帯が形成されている処理チップと、を備えた蛍光検出装置であって、
前記第１照明部および前記第２照明部の一方が前記測定チャンバの１つを照明しているときは、他方は前記測定チャンバのない前記測定チャンバ帯を照明している
ことを特徴とする蛍光検出装置。
【請求項２】
請求項１に記載の蛍光検出装置と、
前記処理チップを保持し、前記混合液体試薬を前記第１照明領域および前記第２照明領域に逐次移動させる移動機構と、を備えた
ことを特徴とする蛍光検出装置。
【請求項３】
前記移動機構が回転機構である
ことを特徴とする請求項２に記載の蛍光検出装置。
【請求項４】
前記移動機構が直動機構である
ことを特徴とする請求項２に記載の蛍光検出装置。
【請求項５】
前記測定チャンバ帯上に第３照明領域を形成する第３照明部を備え、
前記第１照明部、前記第２照明部および前記第３照明部は、これらのいずれか１つが前記測定チャンバを照明しているときは、他の２つは前記測定チャンバのない前記測定チャンバ帯を照明している位置関係である
ことを特徴とする請求項１に記載の蛍光検出装置。
【発明の詳細な説明】
【技術分野】
【０００１】
本発明は、血液等の各種検体を処理チップに格納し、様々な試薬と混合して反応させた混合液体試薬の複数の特性を検出する技術に関するものである。
【０００２】
より詳細には、処理チップに配置された複数のチャンバ内に格納された蛍光標識された混合液体試薬から複数の特性を短時間で検出するための技術に関する。
【背景技術】
【０００３】
蛍光標識をした混合液体試薬の特性を検出するため、混合液体試薬に照明光を当て、混合液体試薬から発せられる蛍光を検出する装置として蛍光検出装置が知られている（例えば、特許文献１）。複数の混合液体試薬のそれぞれ異なる特性を検出する場合、検出目的に応じた複数の蛍光標識を混合液体試薬毎に施す。そして、それぞれの蛍光標識を励起する波長毎の照明部を複数設置し、混合液体試薬を照明部の照明領域に逐次移動させて単一の検出部により検出する。
【先行技術文献】
【特許文献】
【０００４】
【特許文献１】特表２００８−５３４９６６号公報
【発明の概要】
【発明が解決しようとする課題】
【０００５】
しかしながら従来の構成では、混合液体試薬のすべての特性を検出するには時間がかかってしまう。すなわち、従来技術は検出部が単一構成なので、すべての特性を得るためには１台ずつ照明部を稼動させる必要があるため、検出に時間がかかった。
【０００６】
そこで本発明は、複数の混合液体試薬に対し複数の特性を短時間で検出する蛍光検出装置を提供することを目的とする。
【課題を解決するための手段】
【０００７】
従来の課題を解決するために、本発明の蛍光検出装置は、蛍光標識した混合液体試薬を第１照明領域において照明する第１照明部と、混合液体試薬を第１照明部の照明光とは波長が違う照明光により第１照明領域とは異なる第２照明領域において照明する第２照明部と、第１照明領域および第２照明領域において混合液体試薬から発せられる蛍光を検出する検出部と、混合液体試薬を格納できる複数の測定チャンバが一定間隔を空けて連続して配置された測定チャンバ帯が形成されている処理チップを備え、第１照明部および第２照明部の一方が測定チャンバの１つを照明しているときは、他方は測定チャンバのない測定チャンバ帯を照明していることを特徴としたものである。
【０００８】
また、本発明の蛍光検出装置は、処理チップを保持し、混合液体試薬を第１照明領域および第２照明領域に逐次移動させる移動機構を備えることが好ましい。このような移動機構は、回転機構が好ましいが、直動機構であってもよい。
【０００９】
さらに、本発明の蛍光検出装置の照明部に、第１照明部および第２照明部に加え、第３照明部を設けてもよい。この場合、第１照明部、第２照明部および第３照明部は、これらのいずれか１つが測定チャンバを照明しているときは、他の２つは測定チャンバのない測定チャンバ帯を照明している位置関係であることが好ましい。
【発明の効果】
【００１０】
本発明の蛍光検出装置によれば、複数の混合液体試薬に対し複数の特性を短時間で検出することができる。
【図面の簡単な説明】
【００１１】
【図１】本発明の実施の形態１における蛍光検出装置の概観図
【図２】本発明の実施の形態１における蛍光検出装置の構成を示した模式図
【図３】本発明の実施の形態１における処理チップを示した平面模式図
【図４】本発明の実施の形態１における処理チップを保持した回転トレイを示した平面模式図
【図５】本発明の実施の形態１における照明部および検出部の内部の要部を示した模式図
【図６】（ａ）本発明の実施の形態１における測定チャンバと照明領域の位置関係を時系列で示した図（ｂ）その次のタイミングでの状況を示した図（ｃ）その次のタイミングでの状況を示した図（ｄ）その次のタイミングでの状況を示した図
【図７】本発明の実施の形態２における蛍光検出装置の構成を示した模式図
【図８】本発明の実施の形態３における蛍光検出装置の構成を示した模式図
【図９】（ａ）本発明の実施の形態３における測定チャンバと照明領域の位置関係を時系列で示した図（ｂ）その次のタイミングでの状況を示した図（ｃ）その次のタイミングでの状況を示した図
【図１０】（ａ）本発明の実施の形態４における測定チャンバと照明領域の位置関係を時系列で示した図（ｂ）その次のタイミングでの状況を示した図（ｃ）その次のタイミングでの状況を示した図（ｄ）その次のタイミングでの状況を示した図
【発明を実施するための形態】
【００１２】
（実施の形態１）
以下に、本発明の蛍光検出装置の実施の形態１を図面とともに詳細に説明する。図１は、本発明の実施の形態１における蛍光検出装置１０１の概観図を示す。この蛍光検出装置１０１は、生体混合液体試薬を化学分析するための装置である。
【００１３】
処理チップ１０２に混合液体試薬を格納した後、蛍光検出装置１０１に設けられた処理チップ投入口１０３から処理チップ１０２をセットし、蛍光測定を行う。蛍光検出装置１０１の前面にタッチパネル１０４を設けており、タッチパネル１０４を用いて測定開始操作および測定中止操作を行う。またタッチパネル１０４によって結果を表示する。
【００１４】
図２は、蛍光検出装置１０１内部の要部を示す図である。図２において、移動機構９０３は、回転トレイ２０２とモータ２０３とからなる回転機構である。回転トレイ２０２は、処理チップ１０２を２枚保持できる。
【００１５】
第１照明部２０７ａおよび第２照明部２０７ｂは、混合液体試薬をそれぞれ波長が違う第１照明光９０７ａおよび第２照明光９０７ｂによりそれぞれ異なる第１照明領域９０８ａおよび第２照明領域９０８ｂにおいて照明する。
【００１６】
検出部２０９は、第１照明領域９０８ａにおいて混合液体試薬から発せられる第１蛍光９０９ａを検出する。同様に、検出部２０９は、第２照明部９０８ｂにおいて混合液体試薬から発せられる第２蛍光９０９ｂを検出する。このような検出部２０９、照明部２０７ａ、２０７ｂは、互いに相対的に固定された位置関係で蛍光検出装置１０１内に固定されている。
【００１７】
図３は、処理チップ１０２を示す図である。処理チップ１０２は、その１辺が湾曲した
厚さ６ｍｍの略長方形となっている。処理チップ１０２の一側面（流路形成面）には、前記の湾曲した一辺に沿うように、深さ２ｍｍ、短手幅３ｍｍ、長手幅５ｍｍの長穴形状のリザーバとなる溝が複数個、本実施例では７個の溝が、一定の間隔を隔てて連続して形成されている。これらの上から０．３ｍｍのＰＭＭＡ製の粘着フィルムを接着し測定チャンバ２０１を形成している。このような処理チップ１０２は、ＡＢＳ樹脂や、ポリプロピレン等の樹脂から形成されている。
【００１８】
図示しない注入口から注入された混合液体試薬が回転機構の回転による遠心力を受け、測定チャンバ２０１に繋がった送液用流路（図示せず）を通じて測定チャンバ２０１へ送液される。
【００１９】
混合液体試薬への蛍光標識は、測定チャンバ２０１へ格納するときより事前に施しておいてもよく、あるいは、測定チャンバ２０１または送液用流路に蛍光標識用の化学物質を予め格納しておき、混合液体試薬の格納に伴って処理チップ１０２上で施されるようにしてもよい。
【００２０】
図４は、処理チップ１０２を２枚保持した回転トレイ２０２を示す。２枚の処理チップ１０２は、互いに対角の配置にて保持されている。回転トレイ２０２の中心軸４０１はモータ２０３に接続されている。測定チャンバ２０１には、回転トレイ２０２の中心軸４０１から等距離となるように一定間隔を空けて連続して配置されることで測定チャンバ帯９０１が形成されている。また、測定チャンバ２０１は、回転トレイ２０２上の照明領域９０８の軌道上に配置されている。
【００２１】
図５は、照明部２０７および検出部２０９の内部の要部を示す。それぞれ第１照明部２０７ａおよび第２照明部２０７ｂは、光源２１０、コリメートレンズ２１１、フィルタ２１２、照明レンズ２１３から構成され、これらは光源２１０の光軸上に順に配置されている。光源２１０は、例えば、波長４７０ｎｍのＬＥＤを用いる。
【００２２】
コリメートレンズ２１１は、光源２１０からの光を略平行光にする。
【００２３】
フィルタ２１２は、蛍光標識の励起波長域の光を選択的に透過し、蛍光波長域の光を選択的に遮断する。例えば、波長４３０ｎｍから４９０ｎｍまでの光を透過するバンドパスフィルタを用いる。また、蛍光標識には、Ｃａｒｂｏｘｙｆｌｕｏｒｅｓｃｅｉｎｓ（ＦＡＭ）、Ｆｌｕｏｒｅｓｃｅｉｎ  ｉｓｏｔｈｉｏｃｙａｎａｔｅ（ＦＩＴＣ）およびＴｈｉａｚｏｌｅ  Ｏｒａｎｇｅ（ＥｘｃｉｔｏｎＤｙｅ）などを用いる。
【００２４】
照明レンズ２１３は、フィルタ２１２を透過した略平行光を収束させ照明領域９０８上に集光させる。
【００２５】
検出部２０９は対物レンズ２１６、受光素子２１８からなる。
【００２６】
対物レンズ２１６は、照明領域９０８において混合液体試薬から発せられた蛍光を受光素子２１８に集光させる。
【００２７】
受光素子２１８は、蛍光標識の蛍光波長域に感度を持つフォトダイオードであり、対物レンズ２１６により集光された蛍光を電気信号に変換する。
【００２８】
図６は、２つの照明領域９０８ａ、９０８ｂおよび複数の測定チャンバ２０１との位置関係を時系列で示した図である。ここで、第１照明部２０７ａおよび第２照明部２０７ｂは、蛍光の測定中、常時稼動している。また、符号２０１ａおよび２０１ｂは、隣り合う
測定チャンバを指す。
【００２９】
第１照明領域９０８ａおよび第２照明領域９０８ｂが同時に、異なる複数または同じ測定チャンバ２０１を照明することがないようにするためには、（式１）および（式２）を満たす必要がある。ここで、Ｗｃは移動方向の測定チャンバ幅、Ｌｉは第１照明領域９０８ａと第２照明領域９０８ｂとの中心間距離、Ｗｉは照明領域の直径、Ｌｃは隣り合う測定チャンバの中心間距離である。
【００３０】
Ｗｃ≦Ｌｉ−Ｗｉ・・・・・・・（式１）
Ｌｉ＋Ｗｉ≦Ｌｃ−Ｗｃ・・・・（式２）
図６（ａ）において、第１照明領域９０８ａは、測定チャンバ２０１ａ内に完全に含まれ、測定チャンバ２０１ａの一部を照明している。また、第２照明領域９０８ｂは、どの測定チャンバも照明せず、測定チャンバ２０１が存在しない測定チャンバ帯９０１を照明している。このとき、第１照明光９０７ａに対応する波長の第１蛍光９０９ａが測定チャンバ２０１ａ内の混合液体試薬から発せられ、検出部２０９により電気信号として検出される。
【００３１】
図６（ｂ）は、図６（ａ）の状況からある時間が経過したときの測定チャンバ２０１、照明領域９０８の位置関係を示した図である。このとき第１照明領域９０８ａおよび第２照明領域９０８ｂのいずれも測定チャンバ２０１が存在しない測定チャンバ帯９０１を照明している。すなわち、１つの測定チャンバ２０１ａが、第１照明領域９０８ａおよび第２照明領域９０８ｂの間に位置している。ここで、（式１）の等号が成り立つとき、１つの測定チャンバ２０１ａが、第１照明領域９０８ａおよび第２照明領域９０８ｂの両方に外接する（図６（ｂ））。
【００３２】
なお、第１照明領域９０８ａまたは第２照明領域９０８ｂが、１つの測定チャンバ２０１内に完全に含まれているときは、一部が含まれているときに比べ、蛍光の強度が強い。そのため、検出部２０９が検出する蛍光の強度に適切な閾値を設定することによって、このような状態を判断できる。
【００３３】
図６（ｃ）は、図６（ｂ）の状況からある時間が経過したときの測定チャンバ２０１、照明領域９０８の位置関係を示した図である。第１照明領域９０８ａは、測定チャンバ２０１が存在しない測定チャンバ帯９０１を照明している。また、第２照明領域９０８ｂは、測定チャンバ２０１ａ内に完全に含まれている。このとき、測定チャンバ２０１ａから第２照明光９０７ｂに対応する波長の第２蛍光９０９ｂが発せられ、検出部２０９により電気信号として検出される。
【００３４】
図６（ｄ）は、図６（ｃ）の状況からある時間が経過したときの測定チャンバ２０１、照明領域９０８の位置関係を示した図である。第１照明領域９０８ａおよび第２照明領域９０８ｂのいずれも測定チャンバ２０１が存在しない測定チャンバ帯９０１を照明している。すなわち、第１照明領域９０８ａおよび第２照明領域９０８ｂは、測定チャンバ２０１ａと測定チャンバ２０１ｂの間に位置している。ここで、（式２）の等号が成り立つとき、第１照明領域９０８ａは測定チャンバ２０１ｂに外接し、第２照明領域９０８ｂは測定チャンバ２０１ａに外接する。
【００３５】
複数の測定チャンバのそれぞれについて、移動機構９０３による移動によって図６（ａ）から（ｄ）の状態が順に繰り返される。したがって、（式１）および（式２）を同時に満たす場合には２つの照明領域９０８ａ、９０８ｂが同時に複数の測定チャンバ２０１を照明することはない。
【００３６】
以上のように、実施の形態１においては２つの照明領域９０８ａ、９０８ｂが同時に複数の測定チャンバ２０１を照明することがないように配置することにより、複数の照明部を同時に稼動させられるようになり複数の混合液体試薬に対し複数の特性を短時間で検出することができる。
【００３７】
単一の検出部を使用することで、蛍光検出装置の構成を簡単にでき小型化できるという利点がある。本実施例では単一の検出部について記載したが、混合液体試薬の複数の特性を検出するために２つ以上の検出部を含めてもよい。例えば、４種類の異なる波長を検出可能とするために、２個の付加的な照明部および第２の検出部をシステムに追加してもよい。
【００３８】
（実施の形態２）
図７は、本発明の実施の形態２の蛍光検出装置１２１内部の要部を示す模式図である。実施の形態1の構成と異なるところは、移動機構を直動機構９１２とし、処理チップ１０２を連結チューブ７０２とした点である。実施の形態１と同じ構成のものは同じ符号を附してその説明を省略する。
【００３９】
図７において、連結チューブ７０２の材料は透光性のポリプロピレン樹脂である。連結チューブ７０２は、０．２ｍＬまでの混合液体試薬を格納できる略円錐面形状をした測定チャンバとしてのウェル７０１が一定間隔を空けて直線状に８個連結されて形成されている。ウェル７０１は、異物混入や混合液体試薬の蒸発を防ぐためのキャップで密閉できるようになっている。
【００４０】
直動機構９１２は、第１照明部２０７ａ、第２照明部２０７ｂ、検出部２０９を搭載した可動ステージ９１１および可動ステージ９１１を移動可能にするレール９１０とからなる。レール９１０の両端にはチューブ保持部９１３がそれぞれ設けられ、これらのチューブ保持部９１３は連結チューブ７０２に接続され、レール９１０と連結チューブ７０２とが平行に対抗している。
【００４１】
また、第１照明部２０７ａ、第２照明部２０７ｂおよび検出部２０９は、互いに相対的に固定された位置関係で直動機構９１２の可動ステージ９１１に固定されている。
【００４２】
ここで、移動方向の測定チャンバ幅（ウェル幅）、隣り合う照明領域の中心間距離、照明領域の直径、隣り合う測定チャンバの中心間距離の関係は、（式１）および（式２）を満たすように構成されている。
【００４３】
このような構成の蛍光検出装置は、可動ステージ９１１をレール９１０の一端から他端へ移動することで、各ウェル内の混合液体試薬を逐次照明して検出することができる。
【００４４】
以上のように、実施の形態２においては移動機構を直動機構とすることにより、広く用いられている既存の蛍光測定用の連結チューブを用いることができる。
【００４５】
本実施例では直線状に連結された連結チューブと一軸の直動機構とについて記載したが、測定できる混合液体試薬の数を増やすために、格子状に連結された連結チューブを二軸の直動機構によって１列ずつ順次測定してもよい。例えば、１２行８列の格子状に配列された連結チューブを用い、二軸の直動機構によって１列ずつ順次測定することで総数９６個のチャンバを測定可能としてもよい。
【００４６】
（実施の形態３）
図８は、本発明の実施の形態３の蛍光検出装置内部の要部を示す模式図である。実施の
形態1の構成と異なるところは照明部の数を３つとした点である。実施の形態２と同じ構成のものは同じ符号を附してその説明を省略する。
【００４７】
図８において、第１照明部２０７ａ、第２照明部２０７ｂおよび第３照明部２０７ｃは、混合液体試薬をそれぞれ波長が違う第１照明光９０７ａ、第２照明光９０７ｂおよび第２照明光９０７ｃによりそれぞれ異なる第１照明領域９０８ａ、第２照明領域９０８ｂおよび第３照明領域９０８ｃにおいて照明する。検出部２０９は、これらの照明領域９０８ａ、９０８ｂ、９０８ｃにおいて混合液体試薬からそれぞれ発せられる第１蛍光９０９ａ、第２蛍光９０９ｂおよび第３蛍光９０９ｃを検出する。検出部２０９およびこれらの照明部２０７ａ、２０７ｂ、２０７ｃは、互いに相対的に固定された位置関係で蛍光検出装置内に固定されている。
【００４８】
図９は、本実施の形態３における蛍光検出装置について、３つの照明領域９０８ａ、９０８ｂ、９０８ｃと複数の測定チャンバ２０１との位置関係を時系列で示した図である。
【００４９】
図が必要以上に複雑になるのを避けるため、複数の測定チャンバ２０１が直線上に配置されている場合を図示したが、実施の形態１と同様に円周状に配置されている場合でも本実施の形態の効果は変わらない。ここで、第１照明部２０７ａ、第２照明部２０７ｂおよび第３照明部２０７ｃ、蛍光の測定中、常時稼動し照明している。また、符号２０１ａ、２０１ｂおよび２０１ｃは、順に隣り合う測定チャンバを指す。
【００５０】
第１照明領域９０８ａ、第２照明領域９０８ｂおよび第３照明領域９０８ｃが同時に異なる複数または同じ測定チャンバ２０１を照明することがないようにするためには、（式３）および（式４）を満たす必要がある。ここで、Ｗｃは移動方向の測定チャンバ幅、Ｌｉは隣り合う照明領域の中心間距離、Ｗｉは照明領域の直径、Ｌｃは隣り合う測定チャンバの中心間距離である。
【００５１】
２Ｌｉ＋Ｗｉ≦Ｌｃ−Ｗｃ・・・・（式３）
Ｗｃ≦Ｌｉ−Ｗｉ・・・・・・・・（式４）
図９（ａ）において、第１照明領域９０８ａ、第２照明領域９０８ｂおよび第３照明領域９０８ｃのいずれも測定チャンバ２０１が存在しない測定チャンバ帯９０１を照明している。すなわち、第１照明領域９０８ａ、第２照明領域９０８ｂおよび第３照明領域９０８ｃは、測定チャンバ２０１ａおよび測定チャンバ２０１ｂの間に位置している。ここで、（式３）の等号が成り立つとき、第１照明領域９０８ａは測定チャンバ２０１ａに外接し、第３照明領域９０８ｃは測定チャンバ２０１ｂに外接する。
【００５２】
図９（ｂ）においては、第３照明領域９０８ｃは、１つの測定チャンバ２０１ｂ内に完全に含まれ、測定チャンバ２０１ａの一部を照明している。第１照明領域９０８ａおよび第２照明領域９０８ｂは、測定チャンバ２０１が存在しない測定チャンバ帯９０１を照明している。
【００５３】
図９（ｃ）においては、第１照明領域９０８ａ、第２照明領域９０８ｂおよび第３照明領域９０８ｃのいずれも測定チャンバ２０１が存在しない測定チャンバ帯９０１を照明している。すなわち、測定チャンバ２０１ｂが、第２照明領域９０８ｂおよび第３照明領域９０８ｃの間に位置している。また、第１照明領域９０８ａおよび第２照明領域９０８ｂは、測定チャンバ２０１ａと測定チャンバ２０１ｂの間に位置している。
【００５４】
ここで、（式４）の等号が成り立つとき、測定チャンバ２０１ｂが、第２照明領域９０８ｂおよび第３照明領域９０８ｃの両方に外接する。
【００５５】
複数の測定チャンバのそれぞれについて、移動機構９０３による移動によって図９（ａ）から（ｃ）と同様の状態が順に繰り返される。したがって、（式３）および（式４）を同時に満たす場合には３つの照明領域９０８ａ、９０８ｂ、９０８ｃのうち２つ以上が同時に複数の測定チャンバ２０１を照明することはない。
【００５６】
以上のように、実施の形態３においては３つの照明領域９０８ａ、９０８ｂ、９０８ｃが同時に複数の測定チャンバ２０１を照明することがないように配置することにより、同時に稼動させられる照明部の数を３つに増やせるようになり複数の混合液体試薬に対し検出できる特性の種類を増やすことができる。
【００５７】
（実施の形態４）
図１０は、本発明の実施の形態４の蛍光検出装置について、３つの照明領域９０８ａ、９０８ｂ、９０８ｃと複数の測定チャンバ２０１との位置関係を時系列で示した図である。実施の形態３の構成と異なるところは照明領域の間隔をより広くした点である。実施の形態３と同じ構成のものは同じ符号を附してその説明を省略する。
【００５８】
第１照明領域９０８ａ、第２照明領域９０８ｂおよび第３照明領域９０８ｃが同時に複数の測定チャンバ２０１を照明することがないようにするためには、（式５）および（式６）を満たす必要がある。ここで、Ｗｃは移動方向の測定チャンバ幅、Ｌｉは隣り合う照明領域の中心間距離、Ｗｉは照明領域の直径、Ｌｃは隣り合う測定チャンバの中心間距離である。
【００５９】
Ｌｉ＋Ｗｉ≦Ｌｃ−Ｗｃ・・・・（式５）
Ｌｃ＋Ｗｃ≦２Ｌｉ−Ｗｉ・・・（式６）
図１０（ａ）において、第２照明領域９０８ｂは、１つの測定チャンバ２０１ｂ内に完全に含まれ、その一部を照明している。また、第１照明領域９０８ａおよび第２照明領域９０８ｃは、測定チャンバ２０１が存在しない測定チャンバ帯９０１を照明している。すなわち、第１照明領域９０８ａは測定チャンバ２０１ａおよび測定チャンバ２０１ｂの間に位置し、照明領域９０８ｃは測定チャンバ２０１ｂおよび測定チャンバ２０１ｃの間に位置している。
【００６０】
図１０（ｂ）において、第１照明領域９０８ａ、第２照明領域９０８ｂおよび第３照明領域９０８ｃのいずれも測定チャンバ２０１が存在しない測定チャンバ帯９０１を照明している。すなわち、第１照明領域９０８ａは、測定チャンバ２０１ａおよび測定チャンバ２０１ｂの間に位置している。また、第２照明領域９０８ｂおよび第３照明領域９０８ｃはともに、測定チャンバ２０１ｂおよび測定チャンバ２０１ｃの間に位置している。ここで、（式５）の等号が成り立つとき、第２照明領域９０８ｂは測定チャンバ２０１ｂに外接し、第３照明領域９０８ｃは測定チャンバ２０１ｃに外接する。
【００６１】
図１０（ｃ）において、第３照明領域９０８ｃは、１つの測定チャンバ２０１ｃ内に完全に含まれ、この測定チャンバ２０１ｃの一部を照明している。また、第１照明領域９０８ａおよび第２照明領域９０８ｂは、測定チャンバ２０１が存在しない測定チャンバ帯９０１を照明している。さらに、測定チャンバ２０１ｂは、第１照明領域９０８ａと第２照明領域９０８ｂの間に位置している。
【００６２】
図１０（ｄ）において、第１照明領域９０８ａ、第２照明領域９０８ｂおよび第３照明領域９０８ｃのいずれも測定チャンバ２０１が存在しない測定チャンバ帯９０１を照明している。１つの測定チャンバ２０１ｂが、第１照明領域９０８ａおよび第２照明領域９０８ｂの間に位置している。測定チャンバ２０１ｃは、第２照明領域９０８ｂおよび第３照明領域９０８ｃの間に位置している。ここで、（式６）の等号が成り立つとき、第２照明
領域９０８ｂは測定チャンバ２０１ｂに外接し、第３照明領域９０８ｃは測定チャンバ２０１ｃに外接する。
【００６３】
複数の測定チャンバのそれぞれについて、移動機構９０３による移動によってしたがって、（式５）および（式６）を同時に満たす場合には３つの照明領域９０８ａ、９０８ｂ、９０８ｃのうち２つ以上が同時に複数の測定チャンバ２０１を照明することはない。
【００６４】
以上のように、実施の形態４においては３つの照明領域の間隔をより広くしたことにより、照明部により大きな光学系を用いて測定感度を向上させることができる。また、隣り合う照明領域からの迷光を少なくでき、混合液体試薬の特性を誤測定する可能性を小さくできる。
【産業上の利用可能性】
【００６５】
本発明は、複数の混合液体試薬に対し複数の特性を短時間で検出できる点で有用である。
【符号の説明】
【００６６】
１０１  蛍光検出装置
１０２  処理チップ
１０３  チップ投入口
１０４  タッチパネル
２０１  測定チャンバ
２０２  回転トレイ
２０３  モータ
２０７  照明部
２０９  検出部
２１０  光源
２１１  コリメートレンズ
２１２  フィルタ
２１３  照明レンズ
２１６  対物レンズ
２１８  受光素子
４０１  中心軸
７０１  ウェル
７０２  連結チューブ
９０３  移動機構
９０７  照明光
９０８  照明領域
９０９  蛍光
９０１  測定チャンバ帯
９１０  レール
９１１  可動ステージ
９１２  直動機構
９１３  チューブ保持部
【図１】
2013185965.tif 000003
【図２】
2013185965.tif 000004
【図３】
2013185965.tif 000005
【図４】
2013185965.tif 000006
【図５】
2013185965.tif 000007
【図６】
2013185965.tif 000008
【図７】
2013185965.tif 000009
【図８】
2013185965.tif 000010
【図９】
2013185965.tif 000011
【図１０】
2013185965.tif 000012